(57)【要約】【課題】施工現場において取付足部と樋支持部との連結位置の調整が不要とされる、出具合調節が可能な軒樋支持具を提供する。【解決手段】軒樋支持具１は、軒先に固定される固定部３０と、固定部３０に連結されて軒先の前方に突出するように配される取付足部１０と、取付足部１０の前端部１０ａの下側に配された、軒樋３を支持する樋支持部２０とを備えている。固定部３０は２片の分離固定部３１よりなり、取付足部１０は、分離固定部３１のそれぞれに対応してヒンジ結合された２片の足片１１よりなり、足片１１の前端部１１ａどうしがヒンジ結合されて拡開自在となっている。【選択図】図１
2018031119.tif 000002
【特許請求の範囲】
【請求項１】
軒先に固定される固定部と、該固定部に連結されて軒先の前方に突出するように配される取付足部と、該取付足部の前端部の下側に配された、軒樋を支持する樋支持部とを備えた軒樋支持具において、
前記固定部は２片の分離固定部よりなり、
前記取付足部は、前記分離固定部のそれぞれに対応してヒンジ結合された２片の足片よりなり、前記足片は前端部どうしがヒンジ結合されて拡開自在となっていることを特徴とする軒樋支持具。
【請求項２】
請求項１において、
前記取付足部の前端部には、連結軸として筒部が設けられており、
前記樋支持部は軸孔を有しており、
前記筒部と前記軸孔とにボルトを挿通してナットで固定されていることを特徴とする軒樋支持具。
【請求項３】
請求項２において、
前記樋支持部の軸孔は、前記ボルトがスライド自在な長孔状に形成されていることを特徴とする軒樋支持具。
【発明の詳細な説明】
【技術分野】
【０００１】
本発明は、軒先に固定される固定部と、固定部に連結されて軒先の前方に突出するように配される取付足部と、取付足部の前端部の下側に配された、軒樋を支持する樋支持部とを備えた軒樋支持具に関する。
【背景技術】
【０００２】
従来のこの種の軒樋支持具は、たとえば特許文献１に記載されたもののように、樋支持部が取付足部の前端部の下側に取り付けられ、長孔による前後方向のスライド移動により取付足部に対して進退自在とされるようになっており、その結果、軒樋の出具合が調節できるようになっている。
【先行技術文献】
【特許文献】
【０００３】
【特許文献１】特開２０１３−９１９５０号公報
【発明の概要】
【発明が解決しようとする課題】
【０００４】
しかしながら、この種の軒樋支持具では、取付足部と樋支持部とは相互に別体であることが必須であり、たとえ合体された状態で現場に持ち込んだとしても、現場において取付足部と樋支持部との連結位置を調整しなければならず、そのために現場で固定具を締めたり緩めたりしなければならない。固定具を締めたり緩めたりする調節を現場で行うため、緩んだ状態のまま施工されるおそれがあった。
【０００５】
本発明は、このような事情を介して提案されたもので、その目的は、施工現場において取付足部と樋支持部との連結位置の調整が不要とされる、出具合調節が可能な軒樋支持具を提供することにある。
【課題を解決するための手段】
【０００６】
上記目的を達成するために、請求項１に記載の軒樋支持具は、軒先に固定される固定部と、該固定部に連結されて軒先の前方に突出するように配される取付足部と、該取付足部の前端部の下側に配された、軒樋を支持する樋支持部とを備えた軒樋支持具において、前記固定部は２片の分離固定部よりなり、前記取付足部は、前記分離固定部のそれぞれに対応してヒンジ結合された２片の足片よりなり、前記足片は前端部どうしがヒンジ結合されて拡開自在となっていることを特徴とする。
【０００７】
請求項２に記載の軒樋支持具は、前記取付足部の前端部には、連結軸として筒部が設けられており、前記樋支持部は軸孔を有しており、前記筒部と前記軸孔とにボルトを挿通してナットで固定されていることを特徴とする。
【０００８】
請求項３に記載の軒樋支持具は、樋支持部の軸孔は、前記ボルトがスライド自在な長孔状に形成されていることを特徴とする。
【発明の効果】
【０００９】
請求項１に記載の軒樋支持具によれば、上述した構成となっているため、施工現場において２片の足片を拡開させるだけで出具合調節が簡単にできる。その際には、取付足部と樋支持部との連結位置の調整を不要とすることができ、両部材間の連結を締めたり緩めたりすることにより発生するずれや、施工後の緩みを防止することができる。また、取付足部と樋支持部とが一体とすることもできる。
【００１０】
請求項２に記載の軒樋支持具によれば、上述した構成となっているため、事前に取付足部と樋支持部とをボルト、ナットでしっかりと固定しておけば、現場では取付足部の足片の拡開具合だけを調整すればよく、迅速に施工をすることができる。
【００１１】
請求項３に記載の軒樋支持具によれば、上述した構成となっているため、取付足部による調節と、取付足部と樋支持部との連結部での調節との両方の出具合調節ができ、両方を組み合わせて大きな長さ寸法の出具合にすることができる。
【図面の簡単な説明】
【００１２】
【図１】本発明の一実施形態に係る軒樋支持具の要部の斜視図である。
【図２】軒樋支持具の取付状態を示す側面図である
【図３】（ａ）（ｂ）は、軒樋支持具の２種の取付態様を示す概略平面図である。
【図４】本発明の他の実施形態に係る軒樋支持具の取付状態を示す側面図である。
【発明を実施するための形態】
【００１３】
以下に、本発明の実施の形態について、添付図面をもとに説明する。まず、以下の実施の形態に係る軒樋支持具１の基本構成について説明する。
【００１４】
本軒樋支持具１は、軒先５に固定される固定部３０と、固定部３０に連結されて軒先５の前方に突出するように配される取付足部１０と、取付足部１０の前端部１０ａの下側に配された、軒樋５を支持する樋支持部２０とを備えた支持具である。
【００１５】
固定部３０は２片の分離固定部３１、３１よりなる。一方、取付足部１０は、分離固定部３１、３１のそれぞれに対応してヒンジ結合された２片の足片１１、１１よりなり、足片１１、１１は前端部１１ａ、１１ａどうしがヒンジ結合されて拡開自在となっている。
【００１６】
このような軒樋支持具１によれば、取付足部１０の２片の足片１１の回動角度θ（開き度合）（図３参照）を種々異ならせることで、取付足部１０に固定された樋支持部２０の前後方向の距離、つまり軒樋３の軒先５からの出具合を調節することができる。
【００１７】
ついで、図１〜図３を参照しながら、図２に示した軒樋支持具１について詳細に説明する。
【００１８】
図２に示した軒樋支持具１は、上述したように、取付足部１０と、樋支持部２０と、固定部３０とを備えている。
【００１９】
図１に示すように、取付足部１０と固定部３０とは一体化されて、樋支持部２０（図２参照）および軒樋３（図２参照）を吊り支持する吊り支持部Ａを構成している。
【００２０】
取付足部１０は、２片の足片１１、１１よりなり、その前端部１１ａ、１１ａどうしがヒンジ結合されている。ヒンジ結合された前端部１０ａのヒンジ部１５には、連結軸として筒部１２が形成されている。また、それぞれの足片１１の幅方法の両端には、他方の足片１１側に突出した補強用突条１１ｃが形成されている。
【００２１】
また、固定部３０は、それぞれに固定具挿通孔３１ａを有した２片の分離固定部３１、３１よりなり、それらの分離固定部３１、３１は横並びに離れた状態で外壁５に固定されるようになっている。分離固定部３１の相互に近い側端縁部に足片１１の後端部１１ｂがヒンジ結合されて、ヒンジ部１３、１４が形成されている。
【００２２】
吊り支持部Ａはこのように３か所のヒンジ部１３、１４、１５にて合体された状態で取り扱われ、現場での施工前においては、２つの足片１１で形成されるＶ字の回動角度θ（図３参照）を小さくしたり大きくしたりすることができるようになっている。
【００２３】
樋支持部２０は、図２に示すように、軒樋３を直接吊り支持する部材であり、前端に軒樋前耳保持部２１を、後端に軒樋後耳保持部２２を有した構成とされ、それらの間の板状部２３には、取付足部１０と連結するための上下方向に通じる丸穴２３ａよりなる軸孔を有している。図１に示すように、軒樋前耳保持部２１に軒樋３の前耳３ａが保持され、軒樋後耳保持部２２に軒樋３の後耳３ｂが保持されるようにして、軒樋３が吊り支持されるようになっている。
【００２４】
図２に示すように、吊り支持部Ａと樋支持部２０とは、吊り支持部Ａの前端の筒部１２の軸孔と樋支持部２０の軸孔（丸孔２３ａ）とを連通させ、その連通孔に下方よりボルト４１を通して蝶ナット４２で螺合することで連結、固定されている。
【００２５】
以上に説明したように、取付足部１０の足片１１どうしが回動自在となっており、その回動角度θ（図３参照）を変えることにより、取付足部１０の後端部１０ｂから前端部１０ａまでの側面視における距離Ｌ（図２の矢印参照）を種々変えることができる。よって、図３（ａ）（ｂ）に例示するように、取付足部１０の前端部１０ａに連結された樋支持部２０および軒樋３の軒先からの出具合寸法を変えることができる。
【００２６】
また、吊り支持部Ａは３か所のヒンジ部１３、１４、１５で回動自在な構成であるが、いったん２つの分離固定部３１を外壁５に面接触するように固定した後には、ヒンジ部１３、１４、１５が回動動作をすることがなく、軒樋支持具１は安定した固定状態で維持され得る。
【００２７】
特に、本軒樋支持具１は、樋支持部２０に長孔によるスライド構造を設けたものとは異なり、取付足部１０、樋支持部２０環の前後方向のずれが発生するおそれはほとんどない。
【００２８】
このように、本軒樋支持具１は取付足部１０で軒樋３の出具合を調節できるようになっているため、軒樋３の出具合を調節するための、たとえば長孔などによるスライド構造を樋支持部２０に設ける必要がなく、樋支持部２０をよりシンプルに、より強固に形成することができる。また、従前では出具合調節ができない、長孔を有さず丸孔にて取付足部１０と連結できるようにした樋支持部２０用の部品を、出具合調節可能な軒樋支持具１の部品として使用することができる。
【００２９】
また、吊り支持部Ａと樋支持部２０とがいったん連結、固定された後は、連結用の固定具（ボルト４１、蝶ナット４２）を緩める必要がない。すなわち、人為的操作を要因とした両部材間での緩みは発生しにくい。
【００３０】
このように軒樋３の施工の際に、吊り支持部Ａと樋支持部２０との連結を緩める必要がないから、両部材間を溶接などで固着させた軒樋支持具１を用いることもできる。両部材を固着一体化したものであれば、１部材として保管、運搬などの取り扱いができ、在庫管理を簡易化することもできる。
【００３１】
また、板状部２３に長孔２３ｂを有した樋支持部２０と、図１に示した吊り支持部Ａとを組み合わせて、図４に示すような軒樋支持具１を構成することもできる。
【００３２】
つまり、この軒樋支持具１は、樋支持部２０の軸孔として長孔２３ｂが板状部２３に設けられており、筒部１２の軸孔と樋支持部２０の長孔２３ｂとを上下に連通させ、その連通孔に下方よりボルト４１を通して蝶ナット４２で螺合することで両部材が連結、固定されるようになっている。
【００３３】
このような構成によれば、取付足部１０の足片１１の角度調節による出具合調節（図４における取付足部１０の後端部１０ｂから前端部１０ａまでの距離Ｌの調節）と、取付足部１０と樋支持部２０とのスライドによる出具合調節（長孔２３ｂの長手方向の長さによる調節）とを個別に実施することができる。したがって、両方の調節機構を組み合わせた本軒樋支持具１によれば、軒樋３の軒先５からの出具合寸法をより大きくすることができる。
【符号の説明】
【００３４】
１          軒樋支持具
３          軒樋
３ａ        前耳
３ｂ        後耳
５          外壁（軒先）
Ａ          吊り支持部
１０        取付足部
１０ａ      前端部
１０ｂ      後端部
１１        足片
１１ａ      前端部
１１ｂ      後端部
１１ｃ      補強用突条
１２        筒部
１３、１４、１５    ヒンジ部
２０        樋支持部
２１        軒樋前耳保持部
２２        軒樋後耳保持部
２３        板状部
２３ａ      丸穴（軸孔）
２３ｂ      長孔（軸孔）
３０        固定部
３１        分離固定部
３１ａ      固定具挿通孔
４１        ボルト
４２        蝶ナット
【図１】
2018031119.tif 000003
【図２】
2018031119.tif 000004
【図３】
2018031119.tif 000005
【図４】
2018031119.tif 000006
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
軒先に固定される固定部と、該固定部に連結されて軒先の前方に突出するように配される取付足部と、該取付足部の前端部の下側に配された、軒樋を支持する樋支持部とを備えた軒樋支持具において、
前記固定部は２片の分離固定部よりなり、
前記取付足部は、前記分離固定部のそれぞれに対応してヒンジ結合された２片の足片よりなり、前記足片は前端部どうしがヒンジ結合されて拡開自在となっており、
前記取付足部の前端部には、連結軸として筒部が設けられており、
前記樋支持部は軸孔を有しており、
前記筒部と前記軸孔とにボルトを挿通してナットで固定されていることを特徴とする軒樋支持具。
【請求項２】
請求項１において、
前記樋支持部の軸孔は、前記ボルトがスライド自在な長孔状に形成されていることを特徴とする軒樋支持具。
【手続補正２】
【補正対象書類名】明細書
【補正対象項目名】０００６
【補正方法】変更
【補正の内容】
【０００６】
上記目的を達成するために、請求項１に記載の軒樋支持具は、軒先に固定される固定部と、該固定部に連結されて軒先の前方に突出するように配される取付足部と、該取付足部の前端部の下側に配された、軒樋を支持する樋支持部とを備えた軒樋支持具において、前記固定部は２片の分離固定部よりなり、前記取付足部は、前記分離固定部のそれぞれに対応してヒンジ結合された２片の足片よりなり、前記足片は前端部どうしがヒンジ結合されて拡開自在となっており、取付足部の前端部には、連結軸として筒部が設けられており、樋支持部は軸孔を有しており、筒部と軸孔とにボルトを挿通してナットで固定されていることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に記載の軒樋支持具は、樋支持部の軸孔は、前記ボルトがスライド自在な長孔状に形成されていることを特徴とする。
【手続補正５】
【補正対象書類名】明細書
【補正対象項目名】００１０
【補正方法】変更
【補正の内容】
【００１０】
また、上述した構成となっているため、事前に取付足部と樋支持部とをボルト、ナットでしっかりと固定しておけば、現場では取付足部の足片の拡開具合だけを調整すればよく、迅速に施工をすることができる。
【手続補正６】
【補正対象書類名】明細書
【補正対象項目名】００１１
【補正方法】変更
【補正の内容】
【００１１】
請求項２に記載の軒樋支持具によれば、上述した構成となっているため、取付足部による調節と、取付足部と樋支持部との連結部での調節との両方の出具合調節ができ、両方を組み合わせて大きな長さ寸法の出具合にすることができる。